【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
複数の購読サービスにわたって機密情報を管理するための方法であって、
第１の購読サービスと関連付けられるコンテンツプロバイダサーバにおいて、第２の購読サービスと関連付けられるコンテンツアグリゲータサーバから第１の認証キーを受信することであって、前記第１の認証キーは、ユーザが前記第１の購読サービスを購読する前に受信される、ことと、
前記第１の認証キーを第１の複数の容認可能な認証キーと比較し、前記第１の認証キーに基づいて、前記第１の購読サービスのために第１のユーザアカウントを生成するかどうかを判定することと、
前記第１の認証キーが前記第１の複数の容認可能な認証キーのうちの１つに合致することを判定することに応答して、前記コンテンツプロバイダサーバにおいて前記第１のユーザアカウントを生成することと、
前記コンテンツプロバイダサーバにおいて、前記第１のユーザアカウントが前記第１の認証キーに対応することを示すデータベースエントリの中に前記第１のユーザアカウントを記憶することと、
前記第１のユーザアカウントを記憶することに続いて、前記コンテンツプロバイダサーバにおいて、前記ユーザに前記第１の購読サービスを購読させる要求を前記コンテンツアグリゲータサーバから受信することであって、前記要求は、第２の認証キーを含む、ことと、
前記第１の認証キーを前記第２の認証キーと比較することと、
前記第１の認証キーが前記第２の認証キーに合致することを判定することに応答して、前記第１のユーザアカウントの正当性を立証することと、
前記第１のユーザアカウントの正当性を立証することに応答して、前記第１のユーザアカウントを通した前記第１の購読サービスへのアクセスを許可することと
を含む、方法。
【請求項２】
前記第１の認証キーは、前記第２の購読サービスによって割り当てられる前記ユーザのためのユーザ名およびパスワードに基づく暗号化キーである、請求項１に記載の方法。
【請求項３】
第１の複数の容認可能な認証キーは、前記コンテンツアグリゲータサーバから前記コンテンツプロバイダサーバにおいて受信される、請求項１に記載の方法。
【請求項４】
前記データベースエントリは、前記第１のユーザアカウントへのポインタを含む第１のデータベースフィールドと、前記第１の認証キーを含む第２のデータベースフィールドとを含む、請求項１に記載の方法。
【請求項５】
前記データベースエントリは、前記第１の購読サービスのための購読規約を含む、第３のデータベースフィールドを含む、請求項１に記載の方法。
【請求項６】
前記ユーザに前記第１の購読サービスを購読させる前記コンテンツアグリゲータサーバからの前記要求は、前記ユーザが前記コンテンツアグリゲータサーバにおいて前記第２の購読サービスのための購読レベルを選択することに応答して、さらなるユーザ入力を伴わずに前記コンテンツアグリゲータサーバから伝送される、請求項１に記載の方法。
【請求項７】
前記第１のユーザアカウントの正当性を立証することに応答して、前記コンテンツプロバイダサーバから前記コンテンツアグリゲータサーバに第２の購読サービス確認を伝送することをさらに含む、請求項１に記載の方法。
【請求項８】
前記コンテンツアグリゲータサーバから、前記第１のユーザアカウントを通して前記第１の購読サービスのメディアコンテンツにアクセスする第２の要求を受信することと、
前記コンテンツアグリゲータサーバから、前記第１のユーザアカウントを通して前記第１の購読サービスのメディアコンテンツにアクセスする前記第２の要求を受信することに応答して、前記コンテンツプロバイダサーバとユーザ機器デバイスとの間の直接接続を作成することと
をさらに含む、請求項１に記載の方法。
【請求項９】
前記コンテンツプロバイダサーバと前記ユーザ機器デバイスとの間の前記直接接続に応答して、前記第１の購読サービスと関連付けられるユーザインターフェーススキンを読み出すことと、
前記ユーザインターフェーススキンを使用して、メディアコンテンツ一覧を表示するために生成することと
をさらに含む、請求項８に記載の方法。
【請求項１０】
前記コンテンツアグリゲータサーバから、メディアコンテンツ一覧の前記第１のユーザアカウントを通したユーザ選択を受信することと、
前記メディアコンテンツ一覧に対応するメディアアセットを表示するために生成することと
をさらに含む、請求項９に記載の方法。
【請求項１１】
複数の購読サービスにわたって機密情報を管理するためのシステムであって、前記システムは、制御回路を備え、前記制御回路は、
第１の購読サービスと関連付けられるコンテンツプロバイダサーバにおいて、第２の購読サービスと関連付けられるコンテンツアグリゲータサーバから第１の認証キーを受信することであって、前記第１の認証キーは、ユーザが前記第１の購読サービスを購読する前に受信される、ことと、
前記第１の認証キーを第１の複数の容認可能な認証キーと比較し、前記第１の認証キーに基づいて、前記第１の購読サービスのために第１のユーザアカウントを生成するかどうかを判定することと、
前記第１の認証キーが前記第１の複数の容認可能な認証キーのうちの１つに合致することを判定することに応答して、前記コンテンツプロバイダサーバにおいて前記第１のユーザアカウントを生成することと、
前記コンテンツプロバイダサーバにおいて、前記第１のユーザアカウントが前記第１の認証キーに対応することを示すデータベースエントリの中に前記第１のユーザアカウントを記憶することと、
前記第１のユーザアカウントを記憶することに続いて、前記コンテンツプロバイダサーバにおいて、前記ユーザに前記第１の購読サービスを購読させる要求を前記コンテンツアグリゲータサーバから受信することであって、前記要求は、第２の認証キーを含む、ことと、
前記第１の認証キーを前記第２の認証キーと比較することと、
前記第１の認証キーが前記第２の認証キーに合致することを判定することに応答して、前記第１のユーザアカウントの正当性を立証することと、
前記第１のユーザアカウントの正当性を立証することに応答して、前記第１のユーザアカウントを通した前記第１の購読サービスへのアクセスを許可することと
を行うように構成される、システム。
【請求項１２】
前記第１の認証キーは、前記第２の購読サービスによって割り当てられる前記ユーザのためのユーザ名およびパスワードに基づく暗号化キーである、請求項１１に記載のシステム。
【請求項１３】
第１の複数の容認可能な認証キーは、前記コンテンツアグリゲータサーバから前記コンテンツプロバイダサーバにおいて受信される、請求項１１に記載のシステム。
【請求項１４】
前記データベースエントリは、前記第１のユーザアカウントへのポインタを含む第１のデータベースフィールドと、前記第１の認証キーを含む第２のデータベースフィールドとを含む、請求項１１に記載のシステム。
【請求項１５】
前記データベースエントリは、前記第１の購読サービスのための購読規約を含む、第３のデータベースフィールドを含む、請求項１１に記載のシステム。
【請求項１６】
前記ユーザに前記第１の購読サービスを購読させる前記コンテンツアグリゲータサーバからの前記要求は、前記ユーザが前記コンテンツアグリゲータサーバにおいて前記第２の購読サービスのための購読レベルを選択することに応答して、さらなるユーザ入力を伴わずに前記コンテンツアグリゲータサーバから伝送される、請求項１１に記載のシステム。
【請求項１７】
前記制御回路はさらに、前記第１のユーザアカウントの正当性を立証することに応答して、前記コンテンツプロバイダサーバから前記コンテンツアグリゲータサーバに第２の購読サービス確認を伝送するように構成される、請求項１１に記載のシステム。
【請求項１８】
前記制御回路はさらに、
前記コンテンツアグリゲータサーバから、前記第１のユーザアカウントを通して前記第１の購読サービスのメディアコンテンツにアクセスする第２の要求を受信することと、
前記コンテンツアグリゲータサーバから、前記第１のユーザアカウントを通して前記第１の購読サービスのメディアコンテンツにアクセスする前記第２の要求を受信することに応答して、前記コンテンツプロバイダサーバとユーザ機器デバイスとの間の直接接続を作成することと
を行うように構成される、請求項１１に記載のシステム。
【請求項１９】
前記制御回路はさらに、
前記コンテンツプロバイダサーバと前記ユーザ機器デバイスとの間の前記直接接続に応答して、前記第１の購読サービスと関連付けられるユーザインターフェーススキンを読み出すことと、
前記ユーザインターフェーススキンを使用して、メディアコンテンツ一覧を表示するために生成することと
を行うように構成される、請求項１８に記載のシステム。
【請求項２０】
前記制御回路はさらに、
前記コンテンツアグリゲータサーバから、メディアコンテンツ一覧の前記第１のユーザアカウントを通したユーザ選択を受信することと、
前記メディアコンテンツ一覧に対応するメディアアセットを表示するために生成することと
を行うように構成される、請求項１９に記載のシステム。
【手続補正２】
【補正対象書類名】明細書
【補正対象項目名】００３７
【補正方法】変更
【補正の内容】
【００３７】
上記で説明されるシステムおよび／または方法は、他のシステム、方法および／または装置に適用され得る、またはそれらに従って使用され得ることに留意されたい。
本願明細書は、例えば、以下の項目も提供する。
（項目１）
複数の購読サービスにわたって機密情報を管理するための方法であって、
第１の購読サービスと関連付けられるコンテンツプロバイダサーバにおいて、第２の購読サービスと関連付けられるコンテンツアグリゲータサーバから第１の認証キーを受信することであって、前記第１の認証キーは、ユーザが前記第１の購読サービスを購読する前に受信される、ことと、
前記第１の認証キーを第１の複数の容認可能な認証キーと比較し、前記第１の認証キーに基づいて、前記第１の購読サービスのために第１のユーザアカウントを生成するかどうかを判定することと、
前記第１の認証キーが前記第１の複数の容認可能な認証キーのうちの１つに合致することを判定することに応答して、前記コンテンツプロバイダサーバにおいて前記第１のユーザアカウントを生成することと、
前記コンテンツプロバイダサーバにおいて、前記第１のユーザアカウントが前記第１の認証キーに対応することを示すデータベースエントリの中に前記第１のユーザアカウントを記憶することと、
前記第１のユーザアカウントを記憶することに続いて、前記コンテンツプロバイダサーバにおいて、前記ユーザに前記第１の購読サービスを購読させる要求を前記コンテンツアグリゲータサーバから受信することであって、前記要求は、第２の認証キーを含む、ことと、
前記第１の認証キーを前記第２の認証キーと比較することと、
前記第１の認証キーが前記第２の認証キーに合致することを判定することに応答して、前記第１のユーザアカウントの正当性を立証することと、
前記第１のユーザアカウントの正当性を立証することに応答して、前記第１のユーザアカウントを通した前記第１の購読サービスへのアクセスを許可することと
を含む、方法。
（項目２）
前記第１の認証キーは、前記第２の購読サービスによって割り当てられる前記ユーザのためのユーザ名およびパスワードに基づく暗号化キーである、項目１に記載の方法。
（項目３）
第１の複数の容認可能な認証キーは、前記コンテンツアグリゲータサーバから前記コンテンツプロバイダサーバにおいて受信される、項目１に記載の方法。
（項目４）
前記データベースエントリは、前記第１のユーザアカウントへのポインタを含む第１のデータベースフィールドと、前記第１の認証キーを含む第２のデータベースフィールドとを含む、項目１に記載の方法。
（項目５）
前記データベースエントリは、前記第１の購読サービスのための購読規約を含む、第３のデータベースフィールドを含む、項目１に記載の方法。
（項目６）
前記ユーザに前記第１の購読サービスを購読させる前記コンテンツアグリゲータサーバからの前記要求は、前記ユーザが前記コンテンツアグリゲータサーバにおいて前記第２の購読サービスのための購読レベルを選択することに応答して、さらなるユーザ入力を伴わずに前記コンテンツアグリゲータサーバから伝送される、項目１に記載の方法。
（項目７）
前記第１のユーザアカウントの正当性を立証することに応答して、前記コンテンツプロバイダサーバから前記コンテンツアグリゲータサーバに第２の購読サービス確認を伝送することをさらに含む、項目１に記載の方法。
（項目８）
前記コンテンツアグリゲータサーバから、前記第１のユーザアカウントを通して前記第１の購読サービスのメディアコンテンツにアクセスする第２の要求を受信することと、
前記コンテンツアグリゲータサーバから、前記第１のユーザアカウントを通して前記第１の購読サービスのメディアコンテンツにアクセスする前記第２の要求を受信することに応答して、前記コンテンツプロバイダサーバとユーザ機器デバイスとの間の直接接続を作成することと
をさらに含む、項目１に記載の方法。
（項目９）
前記コンテンツプロバイダサーバと前記ユーザ機器デバイスとの間の前記直接接続に応答して、前記第１の購読サービスと関連付けられるユーザインターフェーススキンを読み出すことと、
前記ユーザインターフェーススキンを使用して、メディアコンテンツ一覧を表示するために生成することと
をさらに含む、項目８に記載の方法。
（項目１０）
前記コンテンツアグリゲータサーバから、メディアコンテンツ一覧の前記第１のユーザアカウントを通したユーザ選択を受信することと、
前記メディアコンテンツ一覧に対応するメディアアセットを表示するために生成することと
をさらに含む、項目９に記載の方法。
（項目１１）
複数の購読サービスにわたって機密情報を管理するためのシステムであって、前記システムは、制御回路を備え、前記制御回路は、
第１の購読サービスと関連付けられるコンテンツプロバイダサーバにおいて、第２の購読サービスと関連付けられるコンテンツアグリゲータサーバから第１の認証キーを受信することであって、前記第１の認証キーは、ユーザが前記第１の購読サービスを購読する前に受信される、ことと、
前記第１の認証キーを第１の複数の容認可能な認証キーと比較し、前記第１の認証キーに基づいて、前記第１の購読サービスのために第１のユーザアカウントを生成するかどうかを判定することと、
前記第１の認証キーが前記第１の複数の容認可能な認証キーのうちの１つに合致することを判定することに応答して、前記コンテンツプロバイダサーバにおいて前記第１のユーザアカウントを生成することと、
前記コンテンツプロバイダサーバにおいて、前記第１のユーザアカウントが前記第１の認証キーに対応することを示すデータベースエントリの中に前記第１のユーザアカウントを記憶することと、
前記第１のユーザアカウントを記憶することに続いて、前記コンテンツプロバイダサーバにおいて、前記ユーザに前記第１の購読サービスを購読させる要求を前記コンテンツアグリゲータサーバから受信することであって、前記要求は、第２の認証キーを含む、ことと、
前記第１の認証キーを前記第２の認証キーと比較することと、
前記第１の認証キーが前記第２の認証キーに合致することを判定することに応答して、前記第１のユーザアカウントの正当性を立証することと、
前記第１のユーザアカウントの正当性を立証することに応答して、前記第１のユーザアカウントを通した前記第１の購読サービスへのアクセスを許可することと
を行うように構成される、システム。
（項目１２）
前記第１の認証キーは、前記第２の購読サービスによって割り当てられる前記ユーザのためのユーザ名およびパスワードに基づく暗号化キーである、項目１１に記載のシステム。
（項目１３）
第１の複数の容認可能な認証キーは、前記コンテンツアグリゲータサーバから前記コンテンツプロバイダサーバにおいて受信される、項目１１に記載のシステム。
（項目１４）
前記データベースエントリは、前記第１のユーザアカウントへのポインタを含む第１のデータベースフィールドと、前記第１の認証キーを含む第２のデータベースフィールドとを含む、項目１１に記載のシステム。
（項目１５）
前記データベースエントリは、前記第１の購読サービスのための購読規約を含む、第３のデータベースフィールドを含む、項目１１に記載のシステム。
（項目１６）
前記ユーザに前記第１の購読サービスを購読させる前記コンテンツアグリゲータサーバからの前記要求は、前記ユーザが前記コンテンツアグリゲータサーバにおいて前記第２の購読サービスのための購読レベルを選択することに応答して、さらなるユーザ入力を伴わずに前記コンテンツアグリゲータサーバから伝送される、項目１１に記載のシステム。
（項目１７）
前記制御回路はさらに、前記第１のユーザアカウントの正当性を立証することに応答して、前記コンテンツプロバイダサーバから前記コンテンツアグリゲータサーバに第２の購読サービス確認を伝送するように構成される、項目１１に記載のシステム。
（項目１８）
前記制御回路はさらに、
前記コンテンツアグリゲータサーバから、前記第１のユーザアカウントを通して前記第１の購読サービスのメディアコンテンツにアクセスする第２の要求を受信することと、
前記コンテンツアグリゲータサーバから、前記第１のユーザアカウントを通して前記第１の購読サービスのメディアコンテンツにアクセスする前記第２の要求を受信することに応答して、前記コンテンツプロバイダサーバとユーザ機器デバイスとの間の直接接続を作成することと
を行うように構成される、項目１１に記載のシステム。
（項目１９）
前記制御回路はさらに、
前記コンテンツプロバイダサーバと前記ユーザ機器デバイスとの間の前記直接接続に応答して、前記第１の購読サービスと関連付けられるユーザインターフェーススキンを読み出すことと、
前記ユーザインターフェーススキンを使用して、メディアコンテンツ一覧を表示するために生成することと
を行うように構成される、項目１８に記載のシステム。
（項目２０）
前記制御回路はさらに、
前記コンテンツアグリゲータサーバから、メディアコンテンツ一覧の前記第１のユーザアカウントを通したユーザ選択を受信することと、
前記メディアコンテンツ一覧に対応するメディアアセットを表示するために生成することと
を行うように構成される、項目１９に記載のシステム。
（項目２１）
複数の購読サービスにわたって機密情報を管理するためのシステムであって、
第１の購読サービスと関連付けられるコンテンツプロバイダサーバにおいて、第２の購読サービスと関連付けられるコンテンツアグリゲータサーバから第１の認証キーを受信するための手段であって、前記第１の認証キーは、ユーザが前記第１の購読サービスを購読する前に受信される、手段と、
前記第１の認証キーを第１の複数の容認可能な認証キーと比較し、前記第１の認証キーに基づいて、前記第１の購読サービスのために第１のユーザアカウントを生成するかどうかを判定するための手段と、
前記第１の認証キーが前記第１の複数の容認可能な認証キーのうちの１つに合致することを判定することに応答して、前記コンテンツプロバイダサーバにおいて前記第１のユーザアカウントを生成するための手段と、
前記コンテンツプロバイダサーバにおいて、前記第１のユーザアカウントが前記第１の認証キーに対応することを示すデータベースエントリの中に前記第１のユーザアカウントを記憶するための手段と、
前記第１のユーザアカウントを記憶することに続いて、前記コンテンツプロバイダサーバにおいて、前記ユーザに前記第１の購読サービスを購読させる要求を前記コンテンツアグリゲータサーバから受信するための手段であって、前記要求は、第２の認証キーを含む、手段と、
前記第１の認証キーを前記第２の認証キーと比較するための手段と、
前記第１の認証キーが前記第２の認証キーに合致することを判定することに応答して、前記第１のユーザアカウントの正当性を立証するための手段と、
前記第１のユーザアカウントの正当性を立証することに応答して、前記第１のユーザアカウントを通した前記第１の購読サービスへのアクセスを許可するための手段と
を備える、システム。
（項目２２）
前記第１の認証キーは、前記第２の購読サービスによって割り当てられる前記ユーザのためのユーザ名およびパスワードに基づく暗号化キーである、項目２１に記載のシステム。
（項目２３）
第１の複数の容認可能な認証キーは、前記コンテンツアグリゲータサーバから前記コンテンツプロバイダサーバにおいて受信される、項目２１に記載のシステム。
（項目２４）
前記データベースエントリは、前記第１のユーザアカウントへのポインタを含む第１のデータベースフィールドと、前記第１の認証キーを含む第２のデータベースフィールドとを含む、項目２１に記載のシステム。
（項目２５）
前記データベースエントリは、前記第１の購読サービスのための購読規約を含む、第３のデータベースフィールドを含む、項目２１に記載のシステム。
（項目２６）
前記ユーザに前記第１の購読サービスを購読させる前記コンテンツアグリゲータサーバからの前記要求は、前記ユーザが前記コンテンツアグリゲータサーバにおいて前記第２の購読サービスのための購読レベルを選択することに応答して、さらなるユーザ入力を伴わずに前記コンテンツアグリゲータサーバから伝送される、項目２１に記載のシステム。
（項目２７）
前記第１のユーザアカウントの正当性を立証することに応答して、前記コンテンツプロバイダサーバから前記コンテンツアグリゲータサーバに第２の購読サービス確認を伝送するための手段をさらに備える、項目２１に記載のシステム。
（項目２８）
前記コンテンツアグリゲータサーバから、前記第１のユーザアカウントを通して前記第１の購読サービスのメディアコンテンツにアクセスする第２の要求を受信するための手段と、
前記コンテンツアグリゲータサーバから、前記第１のユーザアカウントを通して前記第１の購読サービスのメディアコンテンツにアクセスする前記第２の要求を受信することに応答して、前記ユーザ機器デバイスとコンテンツアグリゲータサーバとの間の直接接続を作成するための手段と
をさらに備える、項目２１に記載のシステム。
（項目２９）
前記コンテンツプロバイダサーバと前記ユーザ機器デバイスとの間の前記直接接続に応答して、前記第１の購読サービスと関連付けられるユーザインターフェーススキンを読み出すための手段と、
前記ユーザインターフェーススキンを使用して、メディアコンテンツ一覧を表示するために生成するための手段と
をさらに備える、項目２８に記載のシステム。
（項目３０）
前記コンテンツアグリゲータサーバから、メディアコンテンツ一覧の前記第１のユーザアカウントを通したユーザ選択を受信するための手段と、
前記メディアコンテンツ一覧に対応するメディアアセットを表示するために生成するための手段と
をさらに備える、項目２９に記載のシステム。
（項目３１）
複数の購読サービスにわたって機密情報を管理するための方法であって、
第１の購読サービスと関連付けられるコンテンツプロバイダサーバにおいて、第２の購読サービスと関連付けられるコンテンツアグリゲータサーバから第１の認証キーを受信することであって、前記第１の認証キーは、ユーザが前記第１の購読サービスを購読する前に受信される、ことと、
第１の複数の容認可能な認証キーを読み出すことと、
前記第１の認証キーを前記第１の複数の容認可能な認証キーと比較し、前記第１の認証キーに基づいて、前記第１の購読サービスのために第１のユーザアカウントを生成するかどうかを判定することと、
前記第１の認証キーが前記第１の複数の容認可能な認証キーのうちの１つに合致することを判定することに応答して、前記コンテンツプロバイダサーバにおいて前記第１のユーザアカウントを生成することと、
前記コンテンツプロバイダサーバにおいて、前記第１のユーザアカウントが前記第１の認証キーに対応することを示すデータベースエントリの中に前記第１のユーザアカウントを記憶することと、
前記第１のユーザアカウントを記憶することに続いて、前記コンテンツプロバイダサーバにおいて、前記ユーザに前記第１の購読サービスを購読させる要求を前記コンテンツアグリゲータサーバから受信することであって、前記要求は、第２の認証キーを含む、ことと、
前記第１の認証キーを前記第２の認証キーと比較することと、
前記第１の認証キーが前記第２の認証キーに合致することを判定することに応答して、前記第１のユーザアカウントの正当性を立証することと、
前記第１のユーザアカウントの正当性を立証することに応答して、前記第１のユーザアカウントを通した前記第１の購読サービスへのアクセスを許可することと
を含む、方法。
（項目３２）
前記第１の認証キーは、前記第２の購読サービスによって割り当てられる前記ユーザのためのユーザ名およびパスワードに基づく暗号化キーである、項目３１に記載の方法。
（項目３３）
第１の複数の容認可能な認証キーは、前記コンテンツアグリゲータサーバから前記コンテンツプロバイダサーバにおいて受信される、項目３１−３２のいずれかに記載の方法。
（項目３４）
前記データベースエントリは、前記第１のユーザアカウントへのポインタを含む第１のデータベースフィールドと、前記第１の認証キーを含む第２のデータベースフィールドとを含む、項目３１−３３のいずれかに記載の方法。
（項目３５）
前記データベースエントリは、前記第１の購読サービスのための購読規約を含む、第３のデータベースフィールドを含む、項目３１−３４のいずれかに記載の方法。
（項目３６）
前記ユーザに前記第１の購読サービスを購読させる前記コンテンツアグリゲータサーバからの前記要求は、前記ユーザが前記コンテンツアグリゲータサーバにおいて前記第２の購読サービスのための購読レベルを選択することに応答して、さらなるユーザ入力を伴わずに前記コンテンツアグリゲータサーバから伝送される、項目３１−３５のいずれかに記載の方法。
（項目３７）
前記第１のユーザアカウントの正当性を立証することに応答して、前記コンテンツプロバイダサーバから前記コンテンツアグリゲータサーバに第２の購読サービス確認を伝送することをさらに含む、項目３１−３６のいずれかに記載の方法。
（項目３８）
前記コンテンツアグリゲータサーバから、前記第１のユーザアカウントを通して前記第１の購読サービスのメディアコンテンツにアクセスする第２の要求を受信することと、
前記コンテンツアグリゲータサーバから、前記第１のユーザアカウントを通して前記第１の購読サービスのメディアコンテンツにアクセスする前記第２の要求を受信することに応答して、前記コンテンツプロバイダサーバとユーザ機器デバイスとの間の直接接続を作成することと
をさらに含む、項目３１−３７のいずれかに記載の方法。
（項目３９）
前記コンテンツプロバイダサーバと前記ユーザ機器デバイスとの間の前記直接接続に応答して、前記第１の購読サービスと関連付けられるユーザインターフェーススキンを読み出すことと、
前記ユーザインターフェーススキンを使用して、メディアコンテンツ一覧を表示するために生成することと
をさらに含む、項目３１−３８のいずれかに記載の方法。
（項目４０）
前記コンテンツアグリゲータサーバから、メディアコンテンツ一覧の前記第１のユーザアカウントを通したユーザ選択を受信することと、
前記メディアコンテンツ一覧に対応するメディアアセットを表示するために生成することと
をさらに含む、項目３１−３９のいずれかに記載の方法。
（項目４１）
複数の購読サービスにわたって機密情報を管理するためのその上に記録された命令を有する、非一過性のコンピュータ可読媒体であって、前記命令は、
第１の購読サービスと関連付けられるコンテンツプロバイダサーバにおいて、第２の購読サービスと関連付けられるコンテンツアグリゲータサーバから第１の認証キーを受信する命令であって、前記第１の認証キーは、ユーザが前記第１の購読サービスを購読する前に受信される、命令と、
前記第１の認証キーを第１の複数の容認可能な認証キーと比較し、前記第１の認証キーに基づいて、前記第１の購読サービスのために第１のユーザアカウントを生成するかどうかを判定する命令と、
前記第１の認証キーが前記第１の複数の容認可能な認証キーのうちの１つに合致することを判定することに応答して、前記コンテンツプロバイダサーバにおいて前記第１のユーザアカウントを生成する命令と、
前記コンテンツプロバイダサーバにおいて、前記第１のユーザアカウントが前記第１の認証キーに対応することを示すデータベースエントリの中に前記第１のユーザアカウントを記憶する命令と、
前記第１のユーザアカウントを記憶することに続いて、前記コンテンツプロバイダサーバにおいて、前記ユーザに前記第１の購読サービスを購読させる要求を前記コンテンツアグリゲータサーバから受信する命令であって、前記要求は、第２の認証キーを含む、命令と、
前記第１の認証キーを前記第２の認証キーと比較する命令と、
前記第１の認証キーが前記第２の認証キーに合致することを判定することに応答して、前記第１のユーザアカウントの正当性を立証する命令と、
前記第１のユーザアカウントの正当性を立証することに応答して、前記第１のユーザアカウントを通した前記第１の購読サービスへのアクセスを許可する命令と
を備える、非一過性のコンピュータ可読媒体。
（項目４２）
前記第１の認証キーは、前記第２の購読サービスによって割り当てられる前記ユーザのためのユーザ名およびパスワードに基づく暗号化キーである、項目４１に記載の非一過性のコンピュータ可読媒体。
（項目４３）
第１の複数の容認可能な認証キーは、前記コンテンツアグリゲータサーバから前記コンテンツプロバイダサーバにおいて受信される、項目４１に記載の非一過性のコンピュータ可読媒体。
（項目４４）
前記データベースエントリは、前記第１のユーザアカウントへのポインタを含む第１のデータベースフィールドと、前記第１の認証キーを含む第２のデータベースフィールドとを含む、項目４１に記載の非一過性のコンピュータ可読媒体。
（項目４５）
前記データベースエントリは、前記第１の購読サービスのための購読規約を含む、第３のデータベースフィールドを含む、項目４１に記載の非一過性のコンピュータ可読媒体。
（項目４６）
前記ユーザに前記第１の購読サービスを購読させる前記コンテンツアグリゲータサーバからの前記要求は、前記ユーザが前記コンテンツアグリゲータサーバにおいて前記第２の購読サービスのための購読レベルを選択することに応答して、さらなるユーザ入力を伴わずに前記コンテンツアグリゲータサーバから伝送される、項目４１に記載の非一過性のコンピュータ可読媒体。
（項目４７）
前記第１のユーザアカウントの正当性を立証することに応答して、前記コンテンツプロバイダサーバから前記コンテンツアグリゲータサーバに第２の購読サービス確認を伝送する命令をさらに備える、項目４１に記載の非一過性のコンピュータ可読媒体。
（項目４８）
前記命令はさらに、
前記コンテンツアグリゲータサーバから、前記第１のユーザアカウントを通して前記第１の購読サービスのメディアコンテンツにアクセスする第２の要求を受信する命令と、
前記コンテンツアグリゲータサーバから、前記第１のユーザアカウントを通して前記第１の購読サービスのメディアコンテンツにアクセスする前記第２の要求を受信することに応答して、前記コンテンツプロバイダサーバとユーザ機器デバイスとの間の直接接続を作成する命令と
を備える、項目４１に記載の非一過性のコンピュータ可読媒体。
（項目４９）
前記命令はさらに、
前記コンテンツプロバイダサーバと前記ユーザ機器デバイスとの間の前記直接接続に応答して、前記第１の購読サービスと関連付けられるユーザインターフェーススキンを読み出す命令と、
前記ユーザインターフェーススキンを使用して、メディアコンテンツ一覧を表示するために生成する命令と
を備える、項目４８に記載の非一過性のコンピュータ可読媒体。
（項目５０）
前記命令はさらに、
前記コンテンツアグリゲータサーバから、メディアコンテンツ一覧の前記第１のユーザアカウントを通したユーザ選択を受信する命令と、
前記メディアコンテンツ一覧に対応するメディアアセットを表示するために生成する命令と
をさらに備える、項目４９に記載の非一過性のコンピュータ可読媒体。
（項目５１）
購読サービスからのコンテンツストリームの数を増加させるかどうかをユーザに推奨する方法であって、
前記購読サービスから異なるデバイスにメディアを同時にストリーミングする要求の数が、前記購読サービスから前記ユーザに利用可能なストリームの数を超える、複数のインスタンスを検出することと、
複数のタイムスタンプがそれぞれ、前記複数のインスタンスのうちの１つに対応する、前記複数のタイムスタンプを生成することと、
前記複数のタイムスタンプのそれぞれを、前記購読サービスのための購読期間に対応するタイムスタンプの範囲と比較し、前記購読期間中に起こった前記複数のインスタンスの数を判定することと、
サーバにおいて、前記購読期間中に起こった前記複数のインスタンスの前記数を前記購読期間の閾値数と比較することと、
前記購読期間中に起こった前記複数のインスタンスの前記数が前記購読期間の前記閾値数を超えることを判定することに応答して、前記サーバから前記異なるデバイスのうちの１つにメッセージを伝送することと
を含む、方法。
（項目５２）
前記購読期間の時間の長さに基づいて、複数の潜在的閾値数から前記購読期間の前記閾値数を選択することをさらに含む、項目５１に記載の方法。
（項目５３）
前記購読サービスから前記ユーザに利用可能な前記ストリームの数に基づいて、複数の潜在的閾値数から前記購読期間の前記閾値数を選択することをさらに含む、項目５１に記載の方法。
（項目５４）
前記複数のタイムスタンプのそれぞれを、前記購読サービスのための購読期間の一部に対応するタイムスタンプの範囲と比較し、前記購読期間の前記一部の間に起こった前記複数のインスタンスの数を判定することと、
前記サーバにおいて、前記購読期間の前記一部の間に起こった前記複数のインスタンスの前記数を前記購読期間の前記一部の閾値数と比較することと、
前記購読期間の前記一部の間に起こった前記複数のインスタンスの前記数が前記購読期間の前記一部の前記閾値数を超えることを判定することに応答して、前記サーバから前記異なるデバイスのうちの１つへの前記メッセージを修正することと
をさらに含む、項目５１に記載の方法。
（項目５５）
前記購読期間の時間の長さに基づいて、複数の潜在的閾値数から前記購読期間の前記一部の前記閾値数を選択することをさらに含む、項目５４に記載の方法。
（項目５６）
前記購読サービスから前記ユーザに利用可能な前記ストリームの数に基づいて、複数の潜在的閾値数から前記購読期間の前記一部の前記閾値数を選択することをさらに含む、項目５４に記載の方法。
（項目５７）
前記購読期間の前記一部に対応する日付に基づいて、複数の潜在的閾値数から前記購読期間の前記一部の前記閾値数を選択することをさらに含む、項目５４に記載の方法。
（項目５８）
前記購読期間の前記一部に対応する時刻に基づいて、複数の潜在的閾値数から前記購読期間の前記一部の前記閾値数を選択することをさらに含む、項目５４に記載の方法。
（項目５９）
前記購読期間の前記一部の間に前記購読サービスから利用可能になったメディアアセットの数に基づいて、複数の潜在的閾値数から前記購読期間の前記一部の前記閾値数を選択することをさらに含む、項目５４に記載の方法。
（項目６０）
前記メッセージは、前記複数のインスタンスの頻度を低減させるための推奨を含む、項目５１に記載の方法。
（項目６１）
購読サービスからのコンテンツストリームの数を増加させるかどうかをユーザに推奨するシステムであって、前記システムは、制御回路を備え、前記制御回路は、
前記購読サービスから異なるデバイスにメディアを同時にストリーミングする要求の数が、前記購読サービスから前記ユーザに利用可能なストリームの数を超える、複数のインスタンスを検出することと、
複数のタイムスタンプがそれぞれ、前記複数のインスタンスのうちの１つに対応する、前記複数のタイムスタンプを生成することと、
前記複数のタイムスタンプのそれぞれを、前記購読サービスのための購読期間に対応するタイムスタンプの範囲と比較し、前記購読期間中に起こった前記複数のインスタンスの数を判定することと、
サーバにおいて、前記購読期間中に起こった前記複数のインスタンスの前記数を前記購読期間の閾値数と比較することと、
前記購読期間中に起こった前記複数のインスタンスの前記数が前記購読期間の前記閾値数を超えることを判定することに応答して、前記サーバから前記異なるデバイスのうちの１つにメッセージを伝送することと
を行うように構成される、システム。
（項目６２）
前記制御回路はさらに、前記購読期間の時間の長さに基づいて、複数の潜在的閾値数から前記購読期間の前記閾値数を選択するように構成される、項目６１に記載のシステム。
（項目６３）
前記制御回路はさらに、前記購読サービスから前記ユーザに利用可能な前記ストリームの数に基づいて、複数の潜在的閾値数から前記購読期間の前記閾値数を選択するように構成される、項目６１に記載のシステム。
（項目６４）
前記制御回路はさらに、
前記複数のタイムスタンプのそれぞれを、前記購読サービスのための購読期間の一部に対応するタイムスタンプの範囲と比較し、前記購読期間の前記一部の間に起こった前記複数のインスタンスの数を判定することと、
前記サーバにおいて、前記購読期間の前記一部の間に起こった前記複数のインスタンスの前記数を前記購読期間の前記一部の閾値数と比較することと、
前記購読期間の前記一部の間に起こった前記複数のインスタンスの前記数が前記購読期間の前記一部の前記閾値数を超えることを判定することに応答して、前記サーバから前記異なるデバイスのうちの１つへの前記メッセージを修正することと
を行うように構成される、項目６１に記載のシステム。
（項目６５）
前記制御回路はさらに、前記購読期間の時間の長さに基づいて、複数の潜在的閾値数から前記購読期間の前記一部の前記閾値数を選択するように構成される、項目６４に記載のシステム。
（項目６６）
前記制御回路はさらに、前記購読サービスから前記ユーザに利用可能な前記ストリームの数に基づいて、複数の潜在的閾値数から前記購読期間の前記一部の前記閾値数を選択するように構成される、項目６４に記載のシステム。
（項目６７）
前記制御回路はさらに、前記購読期間の前記一部に対応する日付に基づいて、複数の潜在的閾値数から前記購読期間の前記一部の前記閾値数を選択するように構成される、項目６４に記載のシステム。
（項目６８）
前記制御回路はさらに、前記購読期間の前記一部に対応する時刻に基づいて、複数の潜在的閾値数から前記購読期間の前記一部の前記閾値数を選択するように構成される、項目６４に記載のシステム。
（項目６９）
前記制御回路はさらに、前記購読期間の前記一部の間に前記購読サービスから利用可能になったメディアアセットの数に基づいて、複数の潜在的閾値数から前記購読期間の前記一部の前記閾値数を選択するように構成される、項目６４に記載のシステム。
（項目７０）
前記メッセージは、前記複数のインスタンスの頻度を低減させるための推奨を含む、項目６１に記載のシステム。
（項目７１）
購読サービスからのコンテンツストリームの数を増加させるかどうかをユーザに推奨するシステムであって、
前記購読サービスから異なるデバイスにメディアを同時にストリーミングする要求の数が、前記購読サービスから前記ユーザに利用可能なストリームの数を超える、複数のインスタンスを検出するための手段と、
複数のタイムスタンプがそれぞれ、前記複数のインスタンスのうちの１つに対応する、前記複数のタイムスタンプを生成するための手段と、
前記複数のタイムスタンプのそれぞれを、前記購読サービスのための購読期間に対応するタイムスタンプの範囲と比較し、前記購読期間中に起こった前記複数のインスタンスの数を判定するための手段と、
サーバにおいて、前記購読期間中に起こった前記複数のインスタンスの前記数を前記購読期間の閾値数と比較するための手段と、
前記購読期間中に起こった前記複数のインスタンスの前記数が前記購読期間の前記閾値数を超えることを判定することに応答して、前記サーバから前記異なるデバイスのうちの１つにメッセージを伝送するための手段と
を備える、システム。
（項目７２）
前記購読期間の時間の長さに基づいて、複数の潜在的閾値数から前記購読期間の前記閾値数を選択するための手段をさらに備える、項目７１に記載のシステム。
（項目７３）
前記購読サービスから前記ユーザに利用可能な前記ストリームの数に基づいて、複数の潜在的閾値数から前記購読期間の前記閾値数を選択するための手段をさらに備える、項目７１に記載のシステム。
（項目７４）
前記複数のタイムスタンプのそれぞれを、前記購読サービスのための購読期間の一部に対応するタイムスタンプの範囲と比較し、前記購読期間の前記一部の間に起こった前記複数のインスタンスの数を判定するための手段と、
前記サーバにおいて、前記購読期間の前記一部の間に起こった前記複数のインスタンスの前記数を前記購読期間の前記一部の閾値数と比較するための手段と、
前記購読期間の前記一部の間に起こった前記複数のインスタンスの前記数が前記購読期間の前記一部の前記閾値数を超えることを判定することに応答して、前記サーバから前記異なるデバイスのうちの１つへの前記メッセージを修正するための手段と
をさらに備える、項目７１に記載のシステム。
（項目７５）
前記購読期間の時間の長さに基づいて、複数の潜在的閾値数から前記購読期間の前記一部の前記閾値数を選択するための手段をさらに備える、項目７４に記載のシステム。
（項目７６）
前記購読サービスから前記ユーザに利用可能な前記ストリームの数に基づいて、複数の潜在的閾値数から前記購読期間の前記一部の前記閾値数を選択するための手段をさらに備える、項目７４に記載のシステム。
（項目７７）
前記購読期間の前記一部に対応する日付に基づいて、複数の潜在的閾値数から前記購読期間の前記一部の前記閾値数を選択するための手段をさらに備える、項目７４に記載のシステム。
（項目７８）
前記購読期間の前記一部に対応する時刻に基づいて、複数の潜在的閾値数から前記購読期間の前記一部の前記閾値数を選択するための手段をさらに備える、項目７４に記載のシステム。
（項目７９）
前記購読期間の前記一部の間に前記購読サービスから利用可能になったメディアアセットの数に基づいて、複数の潜在的閾値数から前記購読期間の前記一部の前記閾値数を選択するための手段をさらに備える、項目７４に記載のシステム。
（項目８０）
前記メッセージは、前記複数のインスタンスの頻度を低減させるための推奨を含む、項目７１に記載のシステム。
（項目８１）
購読サービスからのコンテンツストリームの数を増加させるかどうかをユーザに推奨する方法であって、
前記購読サービスから異なるデバイスにメディアを同時にストリーミングする要求の数が、前記購読サービスから前記ユーザに利用可能なストリームの数を超える、複数のインスタンスを検出することと、
複数のタイムスタンプがそれぞれ、前記複数のインスタンスのうちの１つに対応する、前記複数のタイムスタンプを生成することと、
前記複数のタイムスタンプのそれぞれを、前記購読サービスのための購読期間に対応するタイムスタンプの範囲と比較し、前記購読期間中に起こった前記複数のインスタンスの数を判定することと、
サーバにおいて、前記購読期間中に起こった前記複数のインスタンスの前記数を前記購読期間の閾値数と比較することと、
前記サーバにおいてメッセージを生成することと、
前記購読期間中に起こった前記複数のインスタンスの前記数が前記購読期間の前記閾値数を超えることを判定することに応答して、前記サーバから前記異なるデバイスのうちの１つに前記メッセージを伝送することと
を含む、方法。
（項目８２）
前記購読期間の時間の長さに基づいて、複数の潜在的閾値数から前記購読期間の前記閾値数を選択することをさらに含む、項目８１に記載の方法。
（項目８３）
前記購読サービスから前記ユーザに利用可能な前記ストリームの数に基づいて、複数の潜在的閾値数から前記購読期間の前記閾値数を選択することをさらに含む、項目８１−８２のいずれかに記載の方法。
（項目８４）
前記複数のタイムスタンプのそれぞれを、前記購読サービスのための購読期間の一部に対応するタイムスタンプの範囲と比較し、前記購読期間の前記一部の間に起こった前記複数のインスタンスの数を判定することと、
前記サーバにおいて、前記購読期間の前記一部の間に起こった前記複数のインスタンスの前記数を前記購読期間の前記一部の閾値数と比較することと、
前記購読期間の前記一部の間に起こった前記複数のインスタンスの前記数が前記購読期間の前記一部の前記閾値数を超えることを判定することに応答して、前記サーバから前記異なるデバイスのうちの１つへの前記メッセージを修正することと
をさらに含む、項目８１−８３のいずれかに記載の方法。
（項目８５）
前記購読期間の時間の長さに基づいて、複数の潜在的閾値数から前記購読期間の前記一部の前記閾値数を選択することをさらに含む、項目８１−８４のいずれかに記載の方法。
（項目８６）
前記購読サービスから前記ユーザに利用可能な前記ストリームの数に基づいて、複数の潜在的閾値数から前記購読期間の前記一部の前記閾値数を選択することをさらに含む、項目８１−８５のいずれかに記載の方法。
（項目８７）
前記購読期間の前記一部に対応する日付に基づいて、複数の潜在的閾値数から前記購読期間の前記一部の前記閾値数を選択することをさらに含む、項目８１−８６のいずれかに記載の方法。
（項目８８）
前記購読期間の前記一部に対応する時刻に基づいて、複数の潜在的閾値数から前記購読期間の前記一部の前記閾値数を選択することをさらに含む、項目８１−８７のいずれかに記載の方法。
（項目８９）
前記購読期間の前記一部の間に前記購読サービスから利用可能になったメディアアセットの数に基づいて、複数の潜在的閾値数から前記購読期間の前記一部の前記閾値数を選択することをさらに含む、項目８１−８８のいずれかに記載の方法。
（項目９０）
前記メッセージは、前記複数のインスタンスの頻度を低減させるための推奨を含む、項目８１−８９のいずれかに記載の方法。
（項目９１）
購読サービスからのコンテンツストリームの数を増加させるかどうかをユーザに推奨するためのその上に記録された命令を有する、非一過性のコンピュータ可読媒体であって、前記命令は、
前記購読サービスから異なるデバイスにメディアを同時にストリーミングする要求の数が、前記購読サービスから前記ユーザに利用可能なストリームの数を超える、複数のインスタンスを検出する命令と、
複数のタイムスタンプがそれぞれ、前記複数のインスタンスのうちの１つに対応する、前記複数のタイムスタンプを生成する命令と、
前記複数のタイムスタンプのそれぞれを、前記購読サービスのための購読期間に対応するタイムスタンプの範囲と比較し、前記購読期間中に起こった前記複数のインスタンスの数を判定する命令と、
サーバにおいて、前記購読期間中に起こった前記複数のインスタンスの前記数を前記購読期間の閾値数と比較する命令と、
前記購読期間中に起こった前記複数のインスタンスの前記数が前記購読期間の前記閾値数を超えることを判定することに応答して、前記サーバから前記異なるデバイスのうちの１つにメッセージを伝送する命令と
を備える、非一過性のコンピュータ可読媒体。
（項目９２）
前記購読期間の時間の長さに基づいて、複数の潜在的閾値数から前記購読期間の前記閾値数を選択する命令をさらに備える、項目９１に記載の非一過性のコンピュータ可読媒体。
（項目９３）
前記購読サービスから前記ユーザに利用可能な前記ストリームの数に基づいて、複数の潜在的閾値数から前記購読期間の前記閾値数を選択する命令をさらに備える、項目９１に記載の非一過性のコンピュータ可読媒体。
（項目９４）
前記命令はさらに、
前記複数のタイムスタンプのそれぞれを、前記購読サービスのための購読期間の一部に対応するタイムスタンプの範囲と比較し、前記購読期間の前記一部の間に起こった前記複数のインスタンスの数を判定する命令と、
前記サーバにおいて、前記購読期間の前記一部の間に起こった前記複数のインスタンスの前記数を前記購読期間の前記一部の閾値数と比較する命令と、
前記購読期間の前記一部の間に起こった前記複数のインスタンスの前記数が前記購読期間の前記一部の前記閾値数を超えることを判定することに応答して、前記サーバから前記異なるデバイスのうちの１つへの前記メッセージを修正する命令と
を備える、項目９１に記載の非一過性のコンピュータ可読媒体。
（項目９５）
前記購読期間の時間の長さに基づいて、複数の潜在的閾値数から前記購読期間の前記一部の前記閾値数を選択する命令をさらに備える、項目９４に記載の非一過性のコンピュータ可読媒体。
（項目９６）
前記購読サービスから前記ユーザに利用可能な前記ストリームの数に基づいて、複数の潜在的閾値数から前記購読期間の前記一部の前記閾値数を選択する命令をさらに備える、項目９４に記載の非一過性のコンピュータ可読媒体。
（項目９７）
前記購読期間の前記一部に対応する日付に基づいて、複数の潜在的閾値数から前記購読期間の前記一部の前記閾値数を選択する命令をさらに備える、項目９４に記載の非一過性のコンピュータ可読媒体。
（項目９８）
前記購読期間の前記一部に対応する時刻に基づいて、複数の潜在的閾値数から前記購読期間の前記一部の前記閾値数を選択する命令をさらに備える、項目９４に記載の非一過性のコンピュータ可読媒体。
（項目９９）
前記購読期間の前記一部の間に前記購読サービスから利用可能になったメディアアセットの数に基づいて、複数の潜在的閾値数から前記購読期間の前記一部の前記閾値数を選択する命令をさらに備える、項目９４に記載の非一過性のコンピュータ可読媒体。
（項目１００）
前記メッセージは、前記複数のインスタンスの頻度を低減させるための推奨を含む、項目９１に記載の非一過性のコンピュータ可読媒体。